(57)【要約】      （修正有）【課題】医療現場でより細菌の少ない水を供給するための医療用手洗装置を提供する。【解決手段】医療用手洗装置１００は、浄水カートリッジを備える浄水部、開閉弁、及び前記開閉弁の開閉を制御する制御部を備える浄水ユニット１０と、吐水口２１、及び逆汚染防止部２２と、を備える吐水部２０と、洗面ボウル３１を備えるカウンター３０と、を備える。【選択図】図１
0003222747.tif 000002
【実用新案登録請求の範囲】
【請求項１】
原水をろ過して浄水を生成する浄水カートリッジを備える浄水部、前記浄水を吐水口から出水又は止水するための開閉弁、及び前記開閉弁の開閉を制御する制御部を備える浄水ユニットと、
前記浄水部で生成した浄水を出水する前記吐水口、及び前記吐水口を殺菌する逆汚染防止部と、を備える吐水部と、
前記浄水を受け止める洗面ボウルを備えるカウンターと、
を備える、医療用手洗装置。
【請求項２】
前記カウンターを正面にして座した使用者の脚部を収容可能な空間を前記カウンターの下に形成している、請求項１に記載の医療用手洗装置。
【請求項３】
前記浄水ユニットは、前記カウンターの下側、かつ、使用者からみて右側、左側、又は奥側に設けられている、請求項１又は２に記載の医療用手洗装置。
【請求項４】
前記浄水ユニットは、自医療用手洗装置が設置される部屋の壁内に設けられている、請求項１〜３のいずれか１項に記載の医療用手洗装置。
【請求項５】
前記制御部は、予め設定された時間間隔で、前記浄水を前記吐水口から出水するように前記開閉弁を開閉する定期ブローモード制御を行なう、請求項１〜４のいずれか１項に記載の医療用手洗装置。
【請求項６】
前記浄水ユニットは、前記制御部に、前記定期ブローモード制御させるか否かを切り替えるための切替部をさらに備える、請求項５に記載の医療用手洗装置。
【請求項７】
前記浄水カートリッジは、ワンタッチで着脱可能な接続構造をさらに備える、請求項１〜６のいずれか１項に記載の医療用手洗装置。
【請求項８】
使用者の音声を取得する音声認識部をさらに備え、
前記制御部は、取得した前記使用者の音声に基づいて前記開閉弁の開閉を制御する、請求項１〜７のいずれか１項に記載の医療用手洗装置。
【請求項９】
前記吐水部は、前記吐水口から吐水された浄水を受ける位置における物体の有無を検知するセンサーをさらに備える、請求項１〜８のいずれか１項に記載の医療用手洗装置。
【請求項１０】
前記浄水カートリッジは、孔径０．１μｍ以下の精密ろ過膜を備える、請求項１〜９のいずれか１項に記載の医療用手洗装置。
【請求項１１】
無線の通信を介して時刻情報を取得する電波時計をさらに備える、請求項１〜１０のいずれか１項に記載の医療用手洗装置。
【請求項１２】
前記電波時計は、別体の電源から電気の供給を受ける受電部を備える、請求項１１に記載の医療用手洗装置。
【請求項１３】
無菌病室用手洗装置及び手術用手洗装置のいずれかである、請求項１〜１２のいずれか１項に記載の医療用手洗装置。
【考案の詳細な説明】
【技術分野】
【０００１】
本考案は、医療用手洗装置に関する。
【背景技術】
【０００２】
特許文献１には、電解手段と、消毒水給水手段と、電解手段と消毒水給水手段との何れか一方の操作に連動して他方を制御する制御手段とを設けた電解消毒装置が記載されている。
【０００３】
特許文献２には、手洗器本体と、該手洗器本体のボール部の溢れ縁部の一部を上方に延出させて形成した延出部と、該延出部に設けて手に付着した汚れや細菌等を除去するための水石鹸等を吐出する洗浄液吐出口とを備えてなる手洗器が記載されている。
【先行技術文献】
【特許文献】
【０００４】
【特許文献１】特開平９−２３４２３８号公報
【特許文献２】特開２００２−７８６２６号公報
【考案の概要】
【考案が解決しようとする課題】
【０００５】
しかしながら、上述のような従来技術は、吐水口側から細菌が水の通過路に入り込むことにより、逆汚染が生じるという問題がある。
【０００６】
本考案の一態様は、医療現場でより細菌の少ない水を供給するための医療用手洗装置を提供することを目的とする。
【課題を解決するための手段】
【０００７】
上記の課題を解決するために、本考案の一態様に係る医療用手洗装置は、原水をろ過して浄水を生成する浄水カートリッジを備える浄水部、前記浄水を吐水口から出水又は止水するための開閉弁、及び前記開閉弁の開閉を制御する制御部を備える浄水ユニットと、前記浄水部で生成した浄水を出水する前記吐水口、及び前記吐水口を殺菌する逆汚染防止部と、を備える吐水部と、前記浄水を受け止める洗面ボウルを備えるカウンターと、を備える。
【考案の効果】
【０００８】
本考案の一態様によれば、医療現場でより細菌の少ない水を供給するための医療用手洗装置を提供できる。
【図面の簡単な説明】
【０００９】
【図１】本考案の実施形態１に係る医療用手洗装置の構成を示す模式図である。
【図２】本考案の実施形態１に係る医療用手洗装置の構成を示す模式図である。
【図３】本考案の実施形態２に係る医療用手洗装置の構成を示す模式図である。
【図４】本考案の実施形態３に係る医療用手洗装置の構成を示す模式図である。
【図５】本考案の実施形態４に係る医療用手洗装置の構成を示す模式図である。
【考案を実施するための形態】
【００１０】
〔実施形態１〕
本考案の実施形態１に係る医療用手洗装置について、図１、２を参照して以下に説明する。図１、２は、本考案の一態様に係る医療用手洗装置１００の構成を示す模式図である。図１、２に示すように、医療用手洗装置１００は、浄水ユニット１０と、吐水部２０と、カウンター３０と、水道水元栓４０と、湯水元栓５０と、ミキシングバルブ６０と、排水管７０と、を備えている。医療用手洗装置１００は、無菌病室用の医療用手洗装置である。
【００１１】
浄水ユニット１０は、第１開閉弁１１（開閉弁）、浄水部１２、第２開閉弁１３（開閉弁）、定流量弁１４、制御部１５、及び切替部１６を備えている。浄水ユニット１０は、筐体に収容されていてもよい。
【００１２】
浄水部１２は、原水をろ過して浄水を生成する浄水カートリッジを備えている。これにより、病院内の中央部に備えられている浄水装置から各無菌病室等に浄水を供給するセントラル供給システムを備えていなくても、細菌を除去した浄水を供給可能な医療用手洗装置１００を簡便に設けることができる。
【００１３】
浄水カートリッジは、取り付け易さの観点から、ワンタッチで着脱可能な接続構造を備えていることが好ましい。ワンタッチで着脱可能な接続構造としては、例えば、カプラ式、バヨネット式等が挙げられるが、着脱作業の容易さの観点から、カプラ式がより好ましい。また、浄水カートリッジは、細菌を除去する観点から、孔径０．１μｍ以下の精密ろ過膜を備えていることが好ましい。精密ろ過膜としては、例えば、中空糸膜、プリーツ型平膜等が挙げられる。
【００１４】
第１開閉弁１１及び第２開閉弁１３は、浄水を吐水口２１から出水又は止水するための開閉弁である。具体的には、第１開閉弁１１は、浄水ユニット１０に原水を通したり止めたりするための弁であり、第２開閉弁１３は、浄水ユニット１０から吐水口２１に向かう浄水を通したり止めたりするための弁である。なお、浄水ユニット１０は、第１開閉弁１１及び第２開閉弁１３のうち少なくとも一方の開閉弁を備えていればよい。また、第１開閉弁１１及び第２開閉弁１３の配置は特に限定されず、結果的に浄水を吐水口２１から出水又は止水することができればよい。第１開閉弁１１及び第２開閉弁１３は、例えば電磁弁であることが好ましい。
【００１５】
定流量弁１４は通過する浄水の流量を一定に保つための弁である。定流量弁１４を開くことで、吐水口２１から出る浄水の量を所定の流量に保つことができる。
【００１６】
制御部１５は、第１開閉弁１１及び第２開閉弁１３の開閉の等、浄水ユニット１０が備える各部を統合的に制御する。制御部１５は、例えば、演算部（プロセッサ、ＣＰＵ（Central Processing Unit）等）及び記憶部（ＲＡＭ等のメインメモリ、ＨＤＤ／ＳＤＤ等のストレージ、レジスタ及びキャッシュメモリ等）から構成される。制御部１５は、センサー２３が検知した情報及び音声認識部１７が作成した音声情報の少なくとも一方に基づいて、第１開閉弁１１及び第２開閉弁１３の開閉を制御する。
【００１７】
制御部１５は、滞留水を吐水して細菌の繁殖を防止する観点から、予め設定された時間間隔で、浄水を吐水口２１から出水するように第１開閉弁１１及び第２開閉弁１３を開閉する定期ブローモード制御を行なう。例えば、夜間等の長時間、医療用手洗装置を使用しない場合に、制御部１５は定期ブローモード制御を行なう。
【００１８】
切替部１６は、制御部１５に、定期ブローモード制御させるか否かを切り替えるための装置である。例えば、医療用手洗装置１００の管理者は、切替部１６を操作することによって、制御部１５に、定期ブローモード制御させるか否かを切り替えることができる。切替部１６は、例えば、押すだけで定期ブローモード制御させるか否かを切り替え可能なように、ボタンで構成してもよい。
【００１９】
医療用手洗装置１００は、マイクから使用者の音声を取得して音声認識を行なう音声認識部１７をさらに備えていてもよい。以下、使用者の音声から音声認識によって取得した情報を「音声情報」ともいう。音声認識部１７は、検知した音声を認識処理し、処理した音声の言葉を認識処理して、音声情報を作成する。音声認識部１７は、作成した音声情報を制御部１５に供給する。
【００２０】
吐水部２０は、吐水口２１、逆汚染防止部２２、及びセンサー２３を備えている。
【００２１】
吐水口２１は、浄水部１２で生成した浄水を、カウンター３０が備える洗面ボウル３１に向けて出水する。
【００２２】
逆汚染防止部２２は、吐水口２１を殺菌する。逆汚染防止部２２としては、例えば、紫外線照射装置、加熱装置等が挙げられる。逆汚染防止部２２が吐水口２１を殺菌することにより、逆汚染を防止することができる。具体的には、吐水口２１から出水した後、使用者の手や腕、洗面ボウル３１等に触れた水が吐水口２１に跳ね返って付着しても、逆汚染防止部２２が吐水口２１を殺菌することにより、浄水の通過路及び浄水部１２に細菌が浸入することを防ぐことができる。これにより、医療現場でより細菌の少ない水を供給することができる。
【００２３】
センサー２３は、吐水口２１から吐水された浄水を受ける位置における物体の有無を検知する。当該センサーとしては、例えば、赤外線センサー等が挙げられる。制御部１５は、センサー２３が物体の存在を検知した場合、吐水口２１から出水するように第１開閉弁１１及び第２開閉弁１３を制御する。
【００２４】
カウンター３０は、洗面ボウル３１を備えている。洗面ボウル３１は、吐水口２１から吐水された浄水を受け止める。
【００２５】
医療用手洗装置１００は、カウンター３０を正面にして座した使用者の脚部を収容可能な空間９０をカウンター３０の下に形成している。例えば、空間９０は、車椅子、椅子等に坐した使用者の膝又は腿まで収容可能な空間である。浄水ユニット１０は、カウンター３０の下側、かつ、使用者からみて奥側の、医療用手洗装置１００が設置される部屋の壁面に沿って設けられている。カウンター３０の下側には、浄水ユニット１０、排水管７０、及びミキシングバルブ６０が設けられている。カウンター３０の使用者に一番近い縁から吐水部２０側を内側、当該縁から使用者側を外側とすると、カウンター３０の下側において、当該縁から床面までの間に、外側の空間と内側の空間とを隔てる物が何もない。具体的には、医療用手洗装置１００は、カウンター３０の使用者に近い縁から下側であり、かつ、浄水ユニット１０の最も使用者側の面と当該縁との間に、開閉式の扉、特許文献２に記載されているような化粧パネル等の壁状構造体は設けられていない。なお、浄水ユニット１０は、カウンター３０を正面にして座した使用者の脚部を収容可能な空間９０を確保することができれば、壁面のみに接触して設けられていても、壁面と床面とに接触して設けられていてもよい。
【００２６】
使用者が着座する車椅子の幅がカウンター３０の幅よりも大きい場合、カウンター３０の使用者からみて右側又は左側に側板が設けられていないことが好ましい。浄水ユニット１０自体は筐体に収容されていてもよい。浄水ユニット１０が収容されている筐体は、空間９０の大きさより十分小さいことが好ましい。例えば、奥側の壁面に沿って浄水ユニット１０を設置している形態においては、浄水ユニット１０が収容されている筐体の使用者に対向する面が、カウンターの使用者側の縁から４０〜５０ｃｍ程度離れていることが好ましい。つまり、空間９０の奥行は、４０ｃｍ以上が好ましく、５０ｃｍ以下であることが好ましい。また、空間９０の高さは、６０ｃｍ以上であることが好ましく、また、８０ｃｍ以下であることが好ましい。これにより、車椅子に座した使用者の脚部を空間９０に収容することができる。
【００２７】
無菌病室用の医療用手洗装置１００において、カウンター３０の下側に空間９０があることにより、無菌病室を使用する患者が車椅子に座していても、快適に医療用手洗装置１００を使用することができる。
【００２８】
また、特許文献１のように、カウンター３０よりも上に浄水ユニット１０が設けられている配置である場合、厚さを有する浄水ユニット１０が使用者の目線の先にあるため、使用者に圧迫感を与えるという問題があった。これに対して、本実施形態においては、浄水ユニット１０が、カウンター３０の下側、かつ、使用者からみて奥側に設けられていることにより、使用者の目線の先の圧迫感を低減することができる。そのため、家庭の日常空間とは異なる無菌病室内であっても、使用者に違和感を与えることなく、安心感を与えることができる。
【００２９】
水道水元栓４０は、水道水供給路（図示せず）から供給される水道水を出水又は止水するための栓である。
【００３０】
湯水元栓５０は、湯水供給路（図示せず）から供給される湯水を出水又は止水するための栓である。
【００３１】
ミキシングバルブ６０は、水道水、湯水、又は水道水と湯水との混合水を出水又は止水するための栓である。
【００３２】
排水管７０は、吐水口２１から出水した浄水及び使用者が使用した水を排出するための管である。
【００３３】
ミキシングバルブ６０及び排水管７０は、カウンター３０を正面にして座した使用者の脚部を収容可能な空間９０をカウンター３０の下に確保することができるように設けられればよい。
【００３４】
次に、医療用手洗装置１００の動作を説明する。例えば、車椅子に坐した者が使用者である場合について説明する。まず、使用者はカウンター３０を正面とする位置に移動する。このとき、使用者の脚は空間９０に収容できるので、センサー２３が物体を検知可能な範囲内に手を配置させやすい。例えば、使用者は吐水口２１に向けて手を伸ばす。センサー２３が手を検知したことに応じて、制御部１５は、吐水口２１から出水するように第１開閉弁１１及び第２開閉弁１３を制御する。これにより、使用者は手を洗浄等することができる。
【００３５】
また、逆汚染防止部２２によって吐水口２１が殺菌されているので、使用者は清潔な水を利用することができる。逆汚染防止部２２による殺菌機能は、常時有効とされていてもよく、使用者、管理者等が有効とするか否かを切り替えてもよい。切り替えを行なう場合は、制御部１５に所望の切り替え方に基づいて制御させてもよい。例えば、制御部１５は、所定時間ごとに紫外線照射を行なうように逆汚染防止部２２を制御してもよい。
【００３６】
また、制御部１５に定期ブローモード制御を行なわせる場合、管理者は定期ブローモードを有効にするように切替部１６を操作する。定期ブローモードが有効である場合、制御部１５は予め設定されているタイミングで、第１開閉弁１１、第２開閉弁１３及び定流量弁１４を開閉して、一定の流量の水が吐水口２１から流出するようにする。浄水カートリッジを長持ちさせる観点から、例えば、浄水カートリッジを介さない通水管を別途用意して、定期ブローモードで流出させる水を原水としてもよい。また、例えば、無菌病室に入院中の使用者が、夜間驚かないようにする場合には、管理者が切替部１６を操作することによって、夜間は制御部１５に定期ブローモード制御させないようにすればよい。また、無菌病室が空室状態の場合である場合には、管理者が切替部１６を操作することによって、制御部１５に、定期ブローモード制御させるように切り替えればよい。また、医療用手洗装置１００は、切替部１６とは別に、ブローモード制御させるか否かを切り替えるための手動用の切替部をさらに備えていてもよい。管理者がブローモードを有効にするように当該切替部を操作した場合、制御部１５は、時間を置かずに、浄水を吐水口２１から出水するように第１開閉弁１１及び第２開閉弁１３を開閉するブローモード制御を行なう。これにより、長時間定期ブローモード制御を無効にするように切替部１６を操作されていた場合であっても、ブローモード制御させることにより、使用者が医療用手洗装置１００を即座に使用可能な状態にすることができる。
【００３７】
このように、本考案の一態様であるカウンターを正面にして座した使用者の脚部を収容可能な空間を前記カウンターの下に形成している医療用手洗装置は、無菌病室用手洗装置として特に好適である。無菌病室では、細菌の繁殖を防ぐ観点から、吐水口から出水した浄水が使用者の手、腕、及び洗面ボウル等に当たって飛び散ることを可能な限り防ぐ必要があるためである。飛び散った水が残存した場所に菌が繁殖する可能性があるからである。従来の無菌病室用手洗装置は、特許文献１のように、カウンターよりも上に浄水ユニットが設けられ、吐水口が使用者の手元よりも高い位置に設けられている配置であった。従来の無菌病室用手洗装置は、高い位置にある吐水口から浄水が使用者の手元及び洗面ボウルに向かって出水するため、使用者の手、腕、及び洗面ボウル等に当たって飛び散る水の量が多いという問題があった。本考案の一態様に係る医療用手洗装置を無菌病室内で用いることにより、従来の無菌病室用手洗装置に比べて吐水口を使用者の手元に近い位置に配置することができるため、飛び散る水の量をより低減することができる。また、上述したように、浄水ユニットがカウンターの下側に設けられているため、吐水口を使用者の手元に近い位置に配置しても、使用者の目線の先の圧迫感を低減することができる。なお、本明細書において「無菌病室」とは、無菌病室内での療養が必要な患者が入院する病室を意味する。また、カウンターを正面にして座した使用者の脚部を収容可能な空間を前記カウンターの下に形成している医療用手洗装置を備える無菌病室も本考案の範疇である。
【００３８】
〔実施形態２〕
本考案の他の実施形態について、図３を参照して以下に説明する。なお、説明の便宜上、上記実施形態にて説明した部材と同じ機能を有する部材については、同じ符号を付記し、その説明を繰り返さない。
【００３９】
図３は、本考案の一態様に係る医療用手洗装置２００の構成を示す模式図である。図３に示すように、医療用手洗装置２００は、浄水ユニット１０がカウンター３０の下側、かつ、使用者からみて左側に壁面に沿って設けられている点で医療用手洗装置１００と異なる。なお、浄水ユニット１０は、使用者からみて右側に設けられていてもよい。
【００４０】
浄水ユニット１０がカウンター３０の下側、かつ、使用者からみて左側又は右側に壁面に沿って設けられていることにより、使用者の脚部をより奥まで収容できる。
【００４１】
〔実施形態３〕
本考案の他の実施形態について、図４を参照して以下に説明する。なお、説明の便宜上、上記実施形態にて説明した部材と同じ機能を有する部材については、同じ符号を付記し、その説明を繰り返さない。
【００４２】
図４は、本考案の一態様に係る医療用手洗装置３００の構成を示す模式図である。図４に示すように、医療用手洗装置３００は、浄水ユニット１０が、医療用手洗装置３００が設置される部屋の壁内に設けられている点で医療用手洗装置１００と異なる。
【００４３】
浄水ユニット１０が壁内に設けられていることにより、使用者の脚部を収容可能な空間９０をより広くすることができる。
【００４４】
〔実施形態４〕
本考案の他の実施形態について、図５を参照して以下に説明する。なお、説明の便宜上、上記実施形態にて説明した部材と同じ機能を有する部材については、同じ符号を付記し、その説明を繰り返さない。
【００４５】
図５は、本考案の一態様に係る医療用手洗装置４００の構成を示す模式図である。図５に示すように、医療用手洗装置４００は、手術用手洗装置であり、電波時計８０を備えている。本考案の一態様において手術用手洗装置とは、手術に携わる者が手術のために用いる手洗い装置であり、例えば、手術室、手術準備室に設置される手洗い装置を意図する。また、医療用手洗装置４００は、洗面ボウル３１を備えるカウンター３０の代わりに、洗面ボウル３１よりも深くかつ容積が大きい洗面ボウル３３１を備えるカウンター３３０を備えている。また、医療用手洗装置４００は、浄水ユニット１０がカウンター３３０よりも上に壁内に埋め込まれている。医療用手洗装置４００は、これらの点で、医療用手洗装置１００と異なる。
【００４６】
手術準備室には、通常、手術関係者が時刻を把握するための時計が設けられている。近年、手術準備室における手洗方法の短時間化及び手洗時間を規定するマニュアル化が進んでいる。そのため、手術準備室に時刻を正確に把握することができる時計を設けることが求められている。
【００４７】
電波時計８０は、無線の通信を介して時刻情報を取得する。具体的には、まず、病院内の端末が無線の通信を介して時刻情報を取得する。電波時計８０は、当該端末が取得した時刻情報を電波時計用の信号として取得する。これにより、鉄筋コンクリート造である病院内で標準時刻の電波を受信し難い場所であっても、電波時計８０を使用することができる。そのため、手術関係者は、手洗時に正確な時刻を把握することができる。また、無線の通信を介するため、標準時刻の電波を受信可能な場所に設けられている親時計と複数の子時計とを有線で配線する方法に比べてコストを下げることができる。無線の通信としては、例えば、Ｗｉ−Ｆｉ（登録商標）等が挙げられる。
【００４８】
例えば、インターネットに接続された病院内のＷｉ−Ｆｉ等の無線ＬＡＮ（Local Area Network）のネットワーク内に、中継装置を設置する。これにより、無線ＬＡＮと中継装置とが無線接続可能となる。中継装置は、インターネットを介して外部のタイムサーバから時刻情報を自動取得し、当該時刻情報を電波時計用の信号として輻射する。電波時計８０は、病院内の中継装置からの信号を取得して電波時計用の信号を取得して時刻を合わせる。外部のタイムサーバとしては、例えば、ＮＴＰ（Network Time Protocol）サーバが挙げられる。
【００４９】
電波時計８０は、電池交換が不要になる観点から、別体の電源から電気の供給を受ける受電部（図示せず）を備えていることが好ましい。例えば、受電部に取り付け可能な電池とＡＣアダプタとを接続する配線を設けて、ＡＣアダプタと接続された電池を受電部に取り付けることにより、受電部がＡＣアダプタを介して別体の電源から電気の供給を受けられるようにしてもよい。また、例えば、受電部とＡＣアダプタとを接続する配線を設けて、受電部がＡＣアダプタを介して別体の電源から電気の供給を受けられるようにすればよい。一例としては、電池又は受電部と１．５ＶのＡＣアダプタとを配線で接続することにより、ＡＣ１００Ｖのコンセントに対応することができる。
【００５０】
電波時計８０は、短針と長針とを備えるアナログ時計であることが好ましい。また、電波時計８０は、手術関係者が手洗に要する秒数を正確に把握する観点から、秒針をさらに備えていることが好ましい。
【００５１】
電波時計８０は、複数人が同時に見易い観点から、浄水ユニット１０よりも高い位置に設けられていることが好ましい。
【００５２】
〔手洗装置の用途〕
以上の実施形態では、本考案に係る手洗装置を、無菌病室用、手術用に用いる形態について説明したが、本考案に係る手洗い装置の用途は、医療用であればよく、前述した形態に限定されない。例えば、ＮＩＣＵ（新生児特定集中治療室）等の特定集中治療室を含むＩＣＵ（集中治療室）、救急処置室、分娩室、陣痛室、新生児室、血管撮影室、血液透析室、化学療法室等の医療施設内に設置される手洗装置として好適である。
【００５３】
本考案は上述した各実施形態に限定されるものではなく、請求項に示した範囲で種々の変更が可能であり、異なる実施形態にそれぞれ開示された技術的手段を適宜組み合わせて得られる実施形態についても本考案の技術的範囲に含まれる。
【００５４】
〔付記事項〕
以上のように本考案に係る医療用手洗装置の一態様では、前記カウンターを正面にして座した使用者の脚部を収容可能な空間を前記カウンターの下に形成していることがより好ましい。
【００５５】
また、本考案に係る医療用手洗装置の一態様では、前記浄水ユニットは、前記カウンターの下側、かつ、使用者からみて右側、左側、又は奥側に設けられていることがより好ましい。
【００５６】
また、本考案に係る医療用手洗装置の一態様では、前記浄水ユニットは、自医療用手洗装置が設置される部屋の壁内に設けられていることがより好ましい。
【００５７】
また、本考案に係る医療用手洗装置の一態様では、前記制御部は、予め設定された時間間隔で、前記浄水を前記吐水口から出水するように前記開閉弁を開閉する定期ブローモード制御を行なうことがより好ましい。
【００５８】
また、本考案に係る医療用手洗装置の一態様では、前記浄水ユニットは、前記制御部に、前記定期ブローモード制御させるか否かを切り替えるための切替部をさらに備えることがより好ましい。
【００５９】
また、本考案に係る医療用手洗装置の一態様では、前記浄水カートリッジは、ワンタッチで着脱可能な接続構造をさらに備えることがより好ましい。
【００６０】
また、本考案に係る医療用手洗装置の一態様では、使用者の音声を取得する音声認識部をさらに備え、前記制御部は、取得した前記使用者の音声に基づいて前記開閉弁の開閉を制御することがより好ましい。
【００６１】
また、本考案に係る医療用手洗装置の一態様では、前記吐水部は、前記吐水口から吐水された浄水を受ける位置における物体の有無を検知するセンサーをさらに備えることがより好ましい。
【００６２】
また、本考案に係る医療用手洗装置の一態様では、前記浄水カートリッジは、孔径０．１μｍ以下の精密ろ過膜を備えることがより好ましい。
【００６３】
また、本考案に係る医療用手洗装置の一態様では、無線の通信を介して時刻情報を取得する電波時計をさらに備えることがより好ましい。
【００６４】
また、本考案に係る医療用手洗装置の一態様では、前記電波時計は、別体の電源から電気の供給を受ける受電部を備えることがより好ましい。
【００６５】
また、本考案に係る医療用手洗装置の一態様では、無菌病室用手洗装置及び手術用手洗装置のいずれかであることがより好ましい。
【産業上の利用可能性】
【００６６】
本考案は、例えば無菌病室用、手術用の医療用手洗装置に利用することができる。
【符号の説明】
【００６７】
１０  浄水ユニット
１１  第１開閉弁（開閉弁）
１２  浄水部
１３  第２開閉弁（開閉弁）
１４  定流量弁
１５  制御部
１６  切替部
１７  音声認識部
２０  吐水部
２１  吐水口
２２  逆汚染防止部
２３  センサー
３０、３３０  カウンター
３１、３３１  洗面ボウル
４０  水道水元栓
５０  湯水元栓
６０  ミキシングバルブ
７０  排水管
８０  電波時計
９０  空間
１００、２００、３００、４００  医療用手洗装置
【図１】
0003222747.tif 000003
【図２】
0003222747.tif 000004
【図３】
0003222747.tif 000005
【図４】
0003222747.tif 000006
【図５】
0003222747.tif 000007